(57)【要約】【課題】ホルダとカートリッジとを有するフィルタアセンブリと、本体とを備えた液体濾過器であって、カートリッジを本体およびホルダから簡単に取り外すことができ、フィルタアセンブリを本体に簡単に装着することができ、且つ、カートリッジがホルダから外れることが防止された液体濾過器を提供する。【解決手段】ホルダ１１０は、本体１に対して中心軸線１２０ｃを中心とする回転以外の移動を制限されている。カートリッジ１９０は、ホルダ１１０に着脱可能に取り付けられている。ホルダ１１０とカートリッジ１９０とが中心軸線１２０ｃを中心に回転しながら、カートリッジ１９０が突起３に沿って移動することによって、ホルダ１１０とカートリッジ１９０とを結ぶ線が延びる方向に沿ってカートリッジ１９０がホルダ１１０に対して移動し、カートリッジ１９０がホルダ１１０に着脱される。【選択図】図８
2013230410.tif 000002
【特許請求の範囲】
【請求項１】
液体を濾過するフィルタアセンブリと、
前記フィルタアセンブリを装着する本体とを備え、
前記フィルタアセンブリは、軸線を有し且つ前記本体に対して前記軸線を中心とする回転以外の移動を制限されたホルダと、前記ホルダに着脱可能に取り付けられたカートリッジとを有し、
前記フィルタアセンブリが前記本体に装着され且つ前記ホルダに前記カートリッジが取り付けられた状態において前記ホルダと前記カートリッジとを結ぶ線が延びる方向の第１の方向に前記カートリッジが移動することを制限し、且つ、前記第１の方向に交差する第２の方向に前記カートリッジが移動することを許可する案内部をさらに備え、
前記ホルダと前記カートリッジとが前記軸線を中心に回転しながら、前記カートリッジが前記案内部に沿って前記第２の方向に移動することによって、前記ホルダと前記カートリッジとを結ぶ線が延びる方向に沿って前記カートリッジが前記ホルダに対して移動し、前記カートリッジが前記ホルダに着脱される、液体濾過器。
【請求項２】
前記案内部は、前記第２の方向に延びる平面部を有し、且つ、前記本体に固定され、
前記カートリッジは、前記第１の方向に面し且つ前記平面部に接触する接触面部を有している、請求項１に記載の液体濾過器。
【請求項３】
前記接触面部の一部は、前記平面部に向かって突出するように湾曲している、
請求項２に記載の液体濾過器。
【請求項４】
前記案内部は、前記第１の方向に面し且つ前記第２の方向に延びる別の平面部を有し、
前記カートリッジは、前記別の平面部に接触する別の接触面部を有している、
請求項２または請求項３に記載の液体濾過器。
【請求項５】
前記別の接触面部の一部は、前記別の平面部に向かって突出するように湾曲している、請求項４に記載の液体濾過器。
【請求項６】
前記第１の方向と平行な方向に沿って、前記平面部と前記別の平面部とによって前記フィルタアセンブリが挟まれるように、前記平面部と前記別の平面部とが前記本体に配置されている、請求項４または請求項５に記載の液体濾過器。
【請求項７】
前記カートリッジは、前記軸線が延びる方向と平行な方向の一方に沿って延びる突起と、前記軸線が延びる方向と平行な方向の一方の逆方向に沿って延びる別の突起とを有し、
前記接触面部は前記突起に形成され、且つ、前記別の接触面部は前記別の突起に形成され、
前記軸線が延びる方向と平行な方向に延びる同一直線上に、前記突起と前記別の突起とが配置されている、請求項６に記載の液体濾過器。
【発明の詳細な説明】
【技術分野】
【０００１】
本発明は、液体を濾過するフィルタアセンブリを備えた液体濾過器に関する。
【背景技術】
【０００２】
液体を濾過するフィルタアセンブリおよびそれを備えた液体濾過器等について、例えば、特開２００８−１４２７１５号公報（以下、特許文献１という）に係るフィルタユニットを備えた流体分離システムと、特開平５−２６９３１１号公報（以下、特許文献２という）に係る濾材カートリッジを備えた濾過器とが従来から知られている。
【０００３】
特許文献１に記載のフィルタユニットは、ハウジングを含む。ハウジングは、入口と、入口から間隔が隔てられた出口と、入口と出口との間でハウジング内に設けられた分離手段とを有する。分離手段は、ハウジングと入口との間でハウジング内に設けられた上エルボ継手と、ハウジングと出口との間でハウジング内に設けられた下継手とを含む。
【０００４】
フィルタユニットが取り付けられるマニホールドは、第１部分としてのソケットと、第２部分としての凹所とを有する。マニホールドは、ソケットが形成された上マニホールドと、凹所が形成された下マニホールドとを含む。マニホールドのソケットは、入口を通してフィルタユニットと流体を連通するための流体経路を有する。マニホールドの凹所は、出口を通してフィルタユニットと流体を連通するための流体経路を有する。
【０００５】
フィルタユニットをシステム内に設置するためには、先ず最初に下継手を下マニホールドの凹所に挿入する。これは、フィルタユニットを鉛直方向に対して傾けることによって行われる。下継手が凹所に挿入された後に、下継手と凹所との係合箇所を中心にフィルタユニットを回転させることにより、上エルボ継手を上マニホールドのソケットに挿入する。このようにして、フィルタユニットの入口は、フィルタユニットの出口が下マニホールドの凹所と係合した後に、フィルタユニットの一回の枢動運動により、上マニホールドのソケットと係合する。
【０００６】
一方、フィルタユニットをシステム内から取り外すためには、先ず最初に、上マニホールドのソケットからフィルタユニットの上エルボ継手を取り外す。続いて、下継手と凹所との係合箇所を中心にフィルタユニットを回転させることにより、フィルタユニットを鉛直方向に対して傾ける。それから、下マニホールドの凹所から下継手を取り外す。
【０００７】
特許文献２に記載の濾過器において、濾材カートリッジを交換する際には、まず、濾材カートリッジを下の方に押し下げる。濾過器の下部にあるカートリッジ装着部側は、濾材カートリッジの降下に伴いカートリッジ受け皿が降下し、カートリッジ受け皿が取り付けられた昇降台に内蔵されたスプリングが収縮することにより、昇降台も同時に降下する。昇降台が回転台に沈み込んだ状態で、カートリッジ装着部を回転台支持部の回転軸を中心に回転させ傾けて、濾材カートリッジを濾過器の装着部から取り外す。
【０００８】
一方、特許文献２に記載の濾過器において、濾材カートリッジを装着する場合は、まず濾材カートリッジの原水流入口側の継手にカートリッジ受け皿の下流側の継手を取り付ける。次にカートリッジ装着部が傾いた状態で、カートリッジ受け皿の上流側の継手を昇降台の継手に挿入する。そして昇降台を押し下げた状態で、濾材カートリッジを装着したカートリッジ装着部を回転させ直立させる。濾材カートリッジを直立させた状態で、手を緩めると昇降台に内蔵されたスプリングが伸張することにより昇降台が上昇し、それに伴い濾材カートリッジも上昇する。上昇した濾材カートリッジは、その上部が装着部のカートリッジ受け皿に嵌まり込み、濾材カートリッジの濾過水流出口側の継手が濾過水流出路の上流側に設けられた継手と結合することにより濾過器に固定される。
【０００９】
また一方、液体を処理するためのカートリッジと、当該カートリッジに蓋をするためのホルダとを備えたフィルタアセンブリについて、例えば、特表２００７−５３１６２５号公報（以下、特許文献３という）に係る水フィルタアセンブリが従来から知られている。特許文献３に記載の水フィルタアセンブリは、水を処理するためのカートリッジアセンブリと、当該カートリッジアセンブリに蓋をするためのマニホールドアセンブリとを有している。
【００１０】
カートリッジアセンブリには、螺旋タブが形成されている。詳細には、螺旋タブは、カートリッジアセンブリの頂部の一部である縁状のマージンの外側に形成されている。マニホールドアセンブリのうち、カートリッジアセンブリの頂部に係合されるカートリッジレシーバには、螺旋タブが形成されている。マニホールドアセンブリの螺旋タブは、カートリッジレシーバの縁状のマージンの内側に形成されている。カートリッジアセンブリの螺旋タブと、マニホールドアセンブリの螺旋タブとが螺旋状に係合されることにより、マニホールドアセンブリとカートリッジアセンブリとが互いに連結される。
【先行技術文献】
【特許文献】
【００１１】
【特許文献１】特開２００８−１４２７１５号公報
【特許文献２】特開平５−２６９３１１号公報
【特許文献３】特表２００７−５３１６２５号公報
【発明の概要】
【発明が解決しようとする課題】
【００１２】
上記のように、特許文献１に記載のフィルタユニットをシステム内に設置するために、ユーザの手によって、下継手を下マニホールドの凹所に挿入し、上エルボ継手を上マニホールドのソケットに挿入する必要がある。また、特許文献１に記載のフィルタユニットをシステム内から取り外すためには、ユーザの手によって、上マニホールドのソケットからフィルタユニットの上エルボ継手を取り外し、下マニホールドの凹所から下継手を取り外す必要がある。この際に、それぞれ、ユーザがフィルタユニットを引っ張る方向は、通常は、ハウジングの入口において流体の圧力が負荷される方向と略同一の方向であり、ハウジングの出口において流体の圧力が負荷される方向と略同一の方向である。
【００１３】
ただし、例えば上エルボ継手の形状と上マニホールドのソケットの形状とに応じて、ユーザがフィルタユニットを引っ張る方向が、ハウジングの入口において流体の圧力が負荷される方向と略一致するとは限らない。同様に、例えば下マニホールドの凹所の形状と下継手の形状とに応じて、ユーザがフィルタユニットを引っ張る方向が、ハウジングの出口において流体の圧力が負荷される方向と略一致するとは限らない。
【００１４】
何れにしても、流体の圧力によってフィルタユニットがマニホールドから簡単に抜けないように、フィルタユニットをマニホールドに堅く装着する必要があるため、特許文献１に記載のフィルタユニットをシステム内に設置したり、システム内から取り外したりするために、ユーザは大きな力を掛けなければならない。あるいは、ユーザの負担を軽減するために、上マニホールドのソケットと上エルボ継手との結合、および、下マニホールドの凹所と下継手との結合を緩める場合には、水圧によってフィルタユニットがシステム内から外れるような事態が生じるおそれがある。
【００１５】
特許文献２に記載の濾過器において、濾材カートリッジを交換する際には、濾材カートリッジを下の方に押し下げる。特許文献２に記載の濾過器において、水の流れによって濾材カートリッジがカートリッジ装着部から外れないように、スプリングは、大きなバネ力を有している。ユーザは、濾材カートリッジを交換する際に、スプリングのこのようなバネ力に勝る力によって濾材カートリッジを下方に押し下げなければならない。つまり、特許文献２に記載のろ過カートリッジをカートリッジ装着部から取り外すために、ユーザは大きな力を掛けなければならない。あるいは、ユーザの負担を軽減するために、スプリングのバネ力を弱める場合には、水の流れによって濾材カートリッジがカートリッジ装着部から外れるような事態が生じるおそれがある。
【００１６】
特許文献３に記載の水フィルタアセンブリについては、水フィルタアセンブリを装着する装置の本体から水フィルタアセンブリが取り外された後に、カートリッジアセンブリとマニホールドアセンブリとが分離されると考えられる。この場合に、ユーザは、カートリッジアセンブリの螺旋タブとマニホールドアセンブリの螺旋タブとの連結を解消するため、マニホールドアセンブリに対してカートリッジアセンブリを水フィルタアセンブリの周方向に回転させる。このように、特許文献３に記載の水フィルタアセンブリについては、水フィルタアセンブリが装置の本体に装着された状態から、カートリッジアセンブリとマニホールドアセンブリとを互いに分離するまでに、作業に手間が掛かる。言い換えると、水フィルタアセンブリが装置の本体に装着された状態において、カートリッジアセンブリを本体およびマニホールドアセンブリから簡単に取り外すことができない。
【００１７】
そこで、本発明の目的は、ホルダとカートリッジとを有するフィルタアセンブリと、本体とを備えた液体濾過器であって、フィルタアセンブリが本体に装着された状態においてカートリッジを本体およびホルダから簡単に取り外すことができ、カートリッジが本体およびホルダから取り外された状態においてフィルタアセンブリを本体に簡単に装着することができ、且つ、フィルタアセンブリが本体に装着された状態においてカートリッジがホルダから外れることが防止された液体濾過器を提供することである。
【課題を解決するための手段】
【００１８】
本発明に従った液体濾過器は、フィルタアセンブリと本体とを備えている。フィルタアセンブリは、液体を濾過する。本体は、フィルタアセンブリを装着する。フィルタアセンブリは、ホルダとカートリッジとを有している。ホルダは、軸線を有し且つ本体に対して軸線を中心とする回転以外の移動を制限されている。カートリッジは、ホルダに着脱可能に取り付けられている。
【００１９】
本発明に従った液体濾過器は、案内部をさらに備えている。案内部は、フィルタアセンブリが本体に装着され且つホルダにカートリッジが取り付けられた状態において、ホルダとカートリッジとを結ぶ線が延びる方向の第１の方向にカートリッジが移動することを制限する。案内部は、フィルタアセンブリが本体に装着され且つホルダにカートリッジが取り付けられた状態において、第１の方向に交差する第２の方向にカートリッジが移動することを許可する。ホルダとカートリッジとが軸線を中心に回転しながら、カートリッジが案内部に沿って移動することによって、ホルダとカートリッジとを結ぶ線が延びる方向に沿ってカートリッジがホルダに対して移動し、カートリッジがホルダに着脱される。
【００２０】
本発明に従った液体濾過器において、カートリッジは、軸線を中心に回転しながら案内部に沿って移動することによって、第２の方向に円滑に移動することができる。ホルダは、本体に対して軸線を中心とする回転以外の移動を制限されている。そのため、カートリッジは、軸線を中心に回転しながら案内部に沿って移動することによって、本体およびホルダに対して移動する。したがって、カートリッジは、軸線を中心に回転しながら第１の方向に交差する第２の方向に案内部に沿って移動することにより、本体およびホルダから簡単に取り外され、または、本体およびホルダに簡単に取り付けられる。カートリッジが本体およびホルダに簡単に取り付けられるため、フィルタアセンブリを本体に簡単に装着することができる。
【００２１】
さらに、カートリッジは、案内部によって、第１の方向に移動することが制限されている。これにより、フィルタアセンブリが本体に装着された状態において、液体の流れによってカートリッジが本体およびホルダから外れることが防止されている。
【００２２】
また、本発明に従った液体濾過器においては、ホルダとカートリッジとを結ぶ線が延びる方向に沿って、カートリッジを移動させることにより、カートリッジをホルダから取り外すことができる。つまり、ホルダに対してカートリッジをフィルタアセンブリの周方向に回転させることが無い。そのため、カートリッジを本体から取り外しながら、本体に対する移動が制限されたホルダからカートリッジを簡単に取り外すことができる。さらに、ホルダに対してカートリッジをフィルタアセンブリの周方向に回転させることが無いため、フィルタアセンブリの表面が滑らかである場合または本体とフィルタアセンブリとの間に大きな空間が無い場合でも、本体およびホルダからカートリッジを容易に取り外すことができ、且つ、本体およびホルダにカートリッジを容易に取り付けることができる。
【００２３】
このように、本発明に従った液体濾過器は、ホルダとカートリッジとを有するフィルタアセンブリと、本体とを備えた液体濾過器である。本発明に従った液体濾過器においては、フィルタアセンブリが本体に装着された状態においてカートリッジを本体およびホルダから簡単に取り外すことができ、カートリッジが本体およびホルダから取り外された状態においてフィルタアセンブリを本体に簡単に装着することができ、且つ、フィルタアセンブリが本体に装着された状態においてカートリッジがホルダから外れることが防止されている。
【００２４】
本発明に従った液体濾過器において、案内部は、好ましくは、第２の方向に延びる平面部を有している。案内部は、好ましくは、本体に固定されている。カートリッジは、好ましくは、接触面部を有している。接触面部は、好ましくは、第１の方向に面し且つ平面部に接触する。
【００２５】
この構成によれば、フィルタアセンブリが本体に装着された状態においては、第１の方向に面した接触面部が、案内部の平面部に接触する。平面部は、第２の方向に延びている。また、平面部を有する案内部は、本体に固定されている。そのため、フィルタカートリッジが本体に装着された状態においてフィルタアセンブリの内部に液体が流れる場合でも、平面部と接触面部との接触によって、本体およびホルダに対するカートリッジの移動を防止することができる。つまり、この構成によれば、本体およびホルダからカートリッジが外れることを確実に防止することができる。
【００２６】
一方、例えばカートリッジが本体およびホルダから取り外される場合には、第２の方向に沿って、平面部に対して接触面部が移動する。このようにして、カートリッジが本体に対して移動することにより、カートリッジが本体およびホルダから取り外され、または、カートリッジが本体およびホルダに取り付けられる。つまり、この構成によれば、カートリッジを本体およびホルダから簡単に取り外すことができ、且つ、カートリッジを本体およびホルダに簡単に取り付けることによって、フィルタアセンブリを本体に簡単に装着することができる。
【００２７】
本発明に従った液体濾過器において、好ましくは、接触面部の一部は平面部に向かって突出するように湾曲している。
【００２８】
この構成によれば、第２の方向に沿って、平面部に対して接触面部が円滑に移動することにより、カートリッジが本体に対して円滑に移動することができる。そのため、カートリッジを本体およびホルダに簡単に取り付けることができ、且つ、本体およびホルダからカートリッジを簡単に取り外すことができる。
【００２９】
本発明に従った液体濾過器において、案内部は、好ましくは、第２の方向に延びる別の平面部を有している。別の平面部は、好ましくは、第１の方向に面している。カートリッジは、好ましくは、別の接触面部を有している。好ましくは、別の接触面部は、別の平面部に接触する。
【００３０】
この構成によれば、フィルタアセンブリが本体に装着された状態においては、第１の方向に面した別の平面部に、別の接触面部が接触する。別の平面部は、第２の方向に延びている。また、別の平面部を有する案内部は、本体に固定されている。そのため、例えばカートリッジが本体およびホルダから取り外される場合には、第２の方向に沿って、平面部に対して接触面部が移動し且つ別の平面部に対して別の接触面部が移動する。
【００３１】
このように、平面部と別の平面部とによって、互いに略対向する二つの方向に沿ってカートリッジが移動することが制限されているため、カートリッジは、第２の方向に沿って円滑に移動することができる。このように、カートリッジが本体に対して円滑に移動することにより、カートリッジは、より簡単に、本体およびホルダから取り外され、且つ、本体およびホルダに取り付けられる。つまり、この構成によれば、本体およびホルダからカートリッジをより簡単に取り外すこと、且つ、本体およびホルダにカートリッジをより簡単に取り付けることができる。
【００３２】
本発明に従った液体濾過器において、好ましくは、別の接触面部の一部は別の平面部に向かって突出するように湾曲している。
【００３３】
この構成によれば、第２の方向に沿って、別の平面部に対して別の接触面部が円滑に移動することにより、カートリッジは本体に対して円滑に移動することができる。そのため、カートリッジを本体およびホルダに簡単に取り付けることができ、且つ、本体およびホルダからカートリッジを簡単に取り外すことができる。
【００３４】
本発明に従った液体濾過器において、好ましくは、第１の方向と平行な方向に沿って、平面部と別の平面部とによってフィルタアセンブリが挟まれるように、平面部と別の平面部とが本体に配置されている。
【００３５】
この構成によれば、フィルタアセンブリが本体に装着された状態において、フィルタアセンブリを安定させることができる。また、カートリッジが本体およびホルダから取り外される場合、または、カートリッジを本体およびホルダに取り付けることによってフィルタアセンブリを本体に装着する場合には、第２の方向に沿ってカートリッジを容易に移動させることができる。
【００３６】
本発明に従った液体濾過器において、カートリッジは、好ましくは、突起と、別の突起とを有している。突起は、好ましくは、軸線が延びる方向と平行な方向の一方に沿って延びている。別の突起は、好ましくは、軸線が延びる方向と平行な方向の一方の逆方向に沿って延びている。好ましくは、接触面部は突起に形成され、且つ、別の接触面部は別の突起に形成されている。突起と別の突起とは、好ましくは、軸線が延びる方向と平行な方向に延びる同一直線上に配置されている。
【００３７】
この構成によれば、フィルタアセンブリにおける突起の位置と別の突起の位置とを、第１の方向に沿って互いに一致させることができる。そのため、フィルタアセンブリの加工において、突起および別の突起を容易に形成することができる。
【発明の効果】
【００３８】
以上のように、本発明によれば、ホルダとカートリッジとを有するフィルタアセンブリと、本体とを備えた液体濾過器であって、フィルタアセンブリが本体に装着された状態においてカートリッジを本体およびホルダから簡単に取り外すことができ、カートリッジが本体およびホルダから取り外された状態においてフィルタアセンブリを本体に簡単に装着することができ、且つ、フィルタアセンブリが本体に装着された状態においてカートリッジがホルダから外れることが防止された液体濾過器を提供することができる。
【図面の簡単な説明】
【００３９】
【図１】本発明に係る液体濾過器の一例である浄水器の概略図である。
【図２】本発明に係る液体濾過器のフィルタアセンブリの一例の全体を示す斜視図である。
【図３】本発明に係る液体濾過器のフィルタアセンブリの一例の全体を示す正面図である。
【図４】本発明に係る液体濾過器のフィルタアセンブリの一例の全体を示す平面図である。
【図５】図４のＶ−Ｖ線の断面図である。
【図６】図４のＶＩ−ＶＩ線の断面図である。
【図７】図１に示す矢印ＶＩＩが指す方向に沿って見た本発明に係る液体濾過器の一例である浄水器の一部断面を示す図であって、（Ａ）はフィルタアセンブリが本体に装着された状態を示す図であり、（Ｂ）は本体およびホルダに対するカートリッジの取り外しの途中の状態を示す図であり、（Ｃ）は本体およびホルダに対するカートリッジの取り外しが完了する前の状態を示す図である。
【図８】図１に示す矢印ＶＩＩＩが指す方向に沿って見た本発明に係る液体濾過器の一例である浄水器の一部断面を示す図であって、（Ａ）は本体およびホルダに対するカートリッジの取り付けが開始された後の状態を示す図であり、（Ｂ）は本体およびホルダに対するカートリッジの取り付けの途中の状態を示す図であり、（Ｃ）はフィルタアセンブリが本体に装着された状態を示す図である。
【図９】本発明に係る液体濾過器の一例である浄水器の概略図であって、案内部の第１の別の例を示す図である。
【図１０】本発明に係る液体濾過器の一例である浄水器の概略図であって、案内部の第２の別の例を示す図である。
【図１１】本発明に係る液体濾過器の一例である浄水器の概略図であって、案内部の第３の別の例を示す図である。
【図１２】本発明に係る液体濾過器の一例である浄水器の概略図であって、案内部の第４の別の例を示す図である。
【図１３】本発明に係る液体濾過器の一例である浄水器の概略図であって、案内部の第５の別の例を示す図である。
【図１４】本発明に係る液体濾過器の一例である浄水器の概略図であって、案内部の第６の別の例を示す図である。
【図１５】本発明に係る液体濾過器の一例である浄水器の概略図であって、案内部の第７の別の例を示す図である。
【図１６】第８の別の例の案内部を備えた本発明に係る液体濾過器において、カートリッジの別の一例を本体から取り外すときに、本体およびホルダに対して移動するカートリッジの状態を示す図であって、（Ａ）はフィルタアセンブリが本体に装着された状態を示す図であり、（Ｂ）は本体およびホルダに対するカートリッジの取り外しの途中の状態を示す図であり、（Ｃ）は本体およびホルダに対するカートリッジの取り外しが完了する前の状態を示す図である。
【発明を実施するための形態】
【００４０】
以下、本発明の実施の形態を図面に基づいて説明する。
【００４１】
（第１実施形態）
図１に、液体濾過器の一例としての浄水器１０を示す。浄水器１０は、水道水または井戸水等の原水を濾過することによって浄水を生成する。浄水器１０は、本体１とフィルタアセンブリ１００とを備えている。
【００４２】
本体１は、頂壁と底壁とを含み、箱形状を有している。本体１は、それぞれ略鉛直方向に沿って延びる内壁１ａと内壁１ｂと正面壁１ｃとを有している。フィルタアセンブリ１００の下端と底壁との間には、隙間があいている。本体１には、開口部１ｄが形成されている。また、本体１には、開口部１ｄを覆う扉２９が取り付けられている。なお、開口部１ｄを覆う機構は、扉に限定されず、別の機構であってもよい。図１の表から裏に向かってフィルタアセンブリ１００を移動させることによって、本体１からフィルタアセンブリ１００が取り外される。図１の裏から表に向かってフィルタアセンブリ１００を移動させることによって、本体１にフィルタアセンブリ１００が取り付けられる。
【００４３】
フィルタアセンブリ１００が本体１に装着された状態において、フィルタアセンブリ１００は、本体１に収容されている。フィルタアセンブリ１００は、液体としての水を濾過する。フィルタアセンブリ１００は、カートリッジ１９０とホルダ１１０とを含む。浄水器１０の本体１にフィルタアセンブリ１００が装着された状態において、ホルダ１１０とカートリッジ１９０とを結ぶ線が延びる方向は、鉛直方向に略一致する。
【００４４】
浄水器１０において、フィルタアセンブリ１００は、着脱可能に本体１に装着される。また、カートリッジ１９０は、ホルダ１１０とカートリッジ１９０とを結ぶ線が延びる方向に沿って、ホルダ１１０に対して移動する。本体１からフィルタアセンブリ１００が取り外される場合に、本体１およびホルダ１１０からカートリッジ１９０が取り外されるときには、図１の表から裏に向かって、カートリッジ１９０が本体１に対して移動する。一方、本体１およびホルダ１１０にカートリッジ１９０が取り付けられることによって、本体１にフィルタアセンブリ１００が装着される場合には、図１の裏から表に向かって、カートリッジ１９０が本体１に対して移動する。なお、フィルタアセンブリ１００が本体１に装着された状態においては、後述する管状部材１２０（図３参照）に取り付けられる配管部材等により、フィルタアセンブリ１００が本体１から取り外される場合またはフィルタアセンブリ１００が本体１に取り付けられる場合に、ホルダ１１０の本体１に対する移動が制限されている。
【００４５】
フィルタアセンブリ１００の上下左右等の方向は、浄水器１０においてフィルタアセンブリ１００が配置される姿勢に応じて変化する。同様に、浄水器１０においてフィルタアセンブリ１００が配置される姿勢に応じて、ホルダ１１０とカートリッジ１９０とを結ぶ線が延びる方向は、略鉛直方向に対して変化する。なお、フィルタアセンブリ１００に水圧が負荷される方向については後述する。
【００４６】
本体１には、吐出ノズル１１と流入ノズル１２とが取り付けられている。被処理対象液体としての原水は、流入ノズル１２の内部を通って本体１の内部に流入する。本体１の内部の所定の経路を流通した水は、フィルタアセンブリ１００の内部に流入することによって濾過される。濾過された水は、別の所定の経路を流通した後に、吐出ノズル１１を通ることによって浄水器１０の外部に供給される。
【００４７】
フィルタアセンブリ１００において、ホルダ１１０は、キャップ状の部材であって、カートリッジ１９０に着脱可能に取り付けられる。言い換えると、カートリッジ１９０は、ホルダ１１０に着脱可能に連結される。図３に示すように、ホルダ１１０は、外筒部１１１と、外筒部１１１の上方に配置される内筒部１１２とを有している。外筒部１１１は、ホルダ１１０の下部に配置されている。図３と図４とを参照するように、外筒部１１１と内筒部１１２とは、円筒形状を有している。外筒部１１１の中心と内筒部１１２の中心（いずれも図示せず）とは一致している。ホルダ１１０の上部には、管状部材１２０が配置されている。管状部材１２０は、流入部１２１と流出部１２２とを有している。なお、後述するように、本体１に対するホルダ１１０およびカートリッジ１９０の回転軸線が、管状部材１２０の中心軸線１２０ｃによって形成されている（図７参照）。中心軸線１２０ｃが延びる方向は、図３の左右方向である（図３と図７参照）。
【００４８】
図５と図６とを参照するように、カートリッジ１９０は、収容部１９１と上端部とを有している。収容部１９１は、濾材１８０を収容する。カートリッジ１９０の上端部は、外筒部１９２と内筒部１９３と嵌合部１９４と嵌合部１９５とを有している。収容部１９１は、カートリッジ１９０の下端部を含むように構成されている。内筒部１９３は、内筒部１１２の内周壁１１２ｗの下端の位置が外筒部１１１の天井面１１１ｃの位置と略一致するように、外筒部１１１に接続されている。
【００４９】
収容部１９１は、有底円筒形状を有している。収容部１９１の内部には、濾材１８０の収容空間１８２が形成されている。収容部１９１の底壁１９１ａは、略水平方向に延びている。フィルタアセンブリ１００が水を濾過する場合には、収容空間１８２に水が満たされている。濾材１８０は、収容部１９１の内周面１８１との間に所定の間隔を隔てて配置されている。濾材１８０は、例えば中空糸フィルタによって形成されている。濾材１８０は、着脱可能にカートリッジ１９０の上端部に取り付けられている。
【００５０】
カートリッジ１９０において、外筒部１９２、内筒部１９３、嵌合部１９４、および、嵌合部１９５は、互いに一体である。一体である外筒部１９２、内筒部１９３、嵌合部１９４、および、嵌合部１９５のうち、嵌合部１９５の上端には、流出口１９２ｂが形成されている。流出口１９２ｂは、カートリッジ１９０の内部から水を流出させる。
【００５１】
嵌合部１９５と嵌合部１９４と内筒部１９３と外筒部１９２とは、それぞれ円筒形状を有している。嵌合部１９５の外周壁には、Ｏリング６２が取り付けられている。Ｏリング６２が取り付けられた嵌合部１９５の上方および外周壁の外方を、円柱状の鞘部１２３が覆うことにより、鞘部１２３と嵌合部１９５との間が密閉される。鞘部１２３は、管状部材１２０（つまり、ホルダ１１０の上部）から下方に延びている。
【００５２】
嵌合部１９４は、嵌合部１９５からフランジ状に延びた部分である。嵌合部１９４の上面１９６には、複数の開口１９２ａが形成されている。管状部材１２０の流入部１２１を流れる水は、開口１９２ａを通ることによって、カートリッジ１９０の内部に流入する。内筒部１９３は、嵌合部１９４からフランジ状に延びた部分である。嵌合部１９４の外周壁には、Ｏリング６１が取り付けられている。Ｏリング６１，６２は、ゴム等の弾性部材によって形成されている。
【００５３】
内筒部１９３は、嵌合部１９４からフランジ状に延びた部分である。外筒部１９２は、内筒部１９３からフランジ状に延びた部分である。外筒部１９２と収容部１９１とは、互いに着脱可能に固定されている。なお、ホルダ１１０の外筒部１１１の中心とカートリッジ１９０の内筒部１９３の中心（いずれも図示せず）とは、ホルダ１１０にカートリッジ１９０が連結されたときに一致する。
【００５４】
ここでは、図５と図６とを参照して、フィルタアセンブリ１００における水の流れを説明する。
【００５５】
被浄化対象水は、流入口１２１ａを通って流入部１２１に流入する。流入部１２１を流れる水は、連通口１２１ｂを通ることによってホルダ１１０の内部に流入する。連通口１２１ｂは、流入部１２１の内部と、ホルダ１１０の内筒部１１２の内部とを連通させる。内筒部１１２の内部に流入した水は、カートリッジ１９０の開口１９２ａを通ることによって収容空間１８２まで流れる。
【００５６】
収容空間１８２において濾材１８０に濾過された水は、濾材１８０の上側からカートリッジ１９０の外部に流出する。このとき、濾過された水は、流出口１９２ｂを通って流出部１２２まで流れる。流出部１２２の内部とホルダ１１０の内部とは、連通口１２４によって連通されている。流出口１９２ｂを通った濾過水は、さらに連通口１２４を通ることにより、流出部１２２の内部に流出する。流出部１２２を流れる濾過水は、流出口１２２ｂを通ってフィルタアセンブリ１００の外部に流出する。
【００５７】
フィルタアセンブリ１００の内部に流入する水の流れにより、通常、フィルタアセンブリ１００には鉛直下方に水圧が負荷される。一方、フィルタアセンブリ１００の外部に流出する水の流れにより、通常、フィルタアセンブリ１００には鉛直上方に水圧が負荷される。二つの水の流れにおいて、フィルタアセンブリ１００の内部に流入する水の流れの圧力は、フィルタアセンブリ１００の外部に流出する水の流れの圧力よりも大きい。そのため、フィルタアセンブリ１００において被浄化対象水が濾過されている間には、鉛直下方にフィルタアセンブリ１００を移動させるように作用する水圧が、フィルタアセンブリ１００の全体に負荷される。なお、フィルタアセンブリ１００が本体１（図１参照）に装着された状態において、フィルタアセンブリ１００に水圧が負荷される方向と略直交する方向とは、略水平方向のことをいう。
【００５８】
ホルダ１１０の内筒部１１２の内周壁１１２ｗと、カートリッジ１９０の嵌合部１９４との間は、Ｏリング６１によってシールされている。Ｏリング６１は、フィルタアセンブリ１００に流入する水が、ホルダ１１０とカートリッジ１９０との間から漏れることを防止している。ホルダ１１０の鞘部１２３と、カートリッジ１９０の嵌合部１９５との間は、Ｏリング６２によってシールされている。Ｏリング６２は、カートリッジ１９０からホルダ１１０に流出する水と、ホルダ１１０からカートリッジ１９０に流入する水とが混合されることを防止している。
【００５９】
次に、以下では、案内部の構成について説明する。図１に示すように、本体１の内部には、突起２と突起３とが配置されている。突起２と突起３とは、それぞれ本体１の内壁１ａと内壁１ｂとにおいてリブ状に突出している。つまり、突起２と突起３とは、本体１に固定されている。
【００６０】
突起２と突起３とは、それぞれ案内部の一例である。突起３は、略鉛直下方にカートリッジ１９０が移動することを制限し、且つ、略水平方向にカートリッジ１９０が本体１に対して移動することを許可する。以下に説明するように、略鉛直下方は、第１の方向の一例である。略水平方向は、第２の方向の一例である。
【００６１】
突起２は、略鉛直上方にカートリッジ１９０が移動することを制限し、且つ、略水平方向にカートリッジ１９０が本体１に対して移動することを許可する。後述するように、突起２は、カートリッジ１９０を突起２に沿って移動させながら回転させることによって、カートリッジ１９０が本体１に対して移動することを許可する。突起３は、カートリッジ１９０を突起３に沿って移動させながら回転させることによって、カートリッジ１９０が本体１に対して移動することを許可する。
【００６２】
突起２は、本体１の内壁１ａにおいて、水平方向の一方（図１の左方から右方に向かう方向）に沿って突出している。突起３は、本体１の内壁１ｂにおいて、水平方向の一方の逆方向（図１の右方から左方に向かう方向）に沿って突出している。突起２の下面には、平面部２ａが形成されている。平面部２ａは、別の平面部の一例である。突起３の上面には、平面部３ａが形成されている。
【００６３】
図１に示すように、突起２と突起３とによってフィルタアセンブリ１００が挟まれるように、突起２と突起３とが本体１に配置されている。これにより、図１を正面から見る場合または図１を裏から見る場合に、平面部３ａと平面部２ａとによってフィルタアセンブリ１００が挟まれるように、平面部３ａと平面部２ａとが本体１に配置されている。
【００６４】
それぞれ図７と図８とに示すように、突起２の平面部２ａと、突起３の平面部３ａとは、略水平方向に延びている。また、突起２の上面と、突起３の下面とが略水平方向に延びている。
【００６５】
一方、フィルタアセンブリ１００は、突起２２と突起２３とを有している。突起２２と突起２３とのうち、突起２２は別の突起の一例である。突起２３は、水平方向の一方（図１の左方から右方に向かう方向）に沿って延びている。突起２２は、水平方向の一方の逆方向（図１の右方から左方に向かう方向）に沿って延びている。
【００６６】
突起２２と突起２３とは、それぞれカートリッジ１９０の表面から、当該表面が形成する円柱の半径方向の外方に向かって延びている。図１を正面から見る場合または図１を裏から見る場合に、水平方向に延びる直線上に、突起２２と突起２３とが配置されている。このように、鉛直方向に沿った方向における突起２２の位置と突起２３の位置とは、互いに略同一である。さらに、突起２２と突起２３とは、カートリッジ１９０の表面において、互いに１８０度離れた位置に配置されている。なお、図１に示すフィルタアセンブリ１００と、図３に示すフィルタアセンブリ１００とは、互いに同じ方向から見たフィルタアセンブリ１００が図示されている。
【００６７】
それぞれ図７と図８とに示すように、突起２２の上面には接触面部２２ａが形成され、突起２３の下面には接触面部２３ａが形成されている。接触面部２２ａと接触面部２３ａとのうち、接触面部２２ａは別の接触面部の一例である。フィルタアセンブリ１００が本体１に装着された状態（図１参照）において、接触面部２２ａは、略鉛直上方に面し且つ平面部２ａに接触する。フィルタアセンブリ１００が本体１に装着された状態において、接触面部２３ａは、略鉛直下方に面し且つ平面部３ａに接触する。
【００６８】
突起２２と突起２３とは、円柱形状を有している。接触面部２２ａは平面部２ａに向かって突出するように湾曲している（図７参照）。接触面部２３ａは平面部３ａに向かって突出するように湾曲している（図８参照）。接触面部２２ａは、突起２２の上面の一部であって、中心角が１８０度以下である円弧と、突起２２の突出高さとの積によって表される面積を有している。接触面部２３ａは、突起２３の下面の一部であって、中心角が１８０度以下である円弧と、突起２３の突出高さとの積によって表される面積を有している。
【００６９】
図１に示すように、フィルタアセンブリ１００が本体１に装着された状態において平面部３ａが面する方向（鉛直上方）と接触面部２３ａが面する方向（鉛直下方）とについて、ホルダ１１０は、フィルタアセンブリ１００において平面部３ａが面する方向を指す側に配置されている。一方、カートリッジ１９０は、フィルタアセンブリ１００において接触面部２３ａが面する方向を指す側に配置されている。
【００７０】
次に、図７を用いて、本体１に対するフィルタアセンブリ１００の取り外し、および、ホルダ１１０に対するカートリッジ１９０の取り外しについて説明する。
【００７１】
図７（Ａ）に示すように、フィルタアセンブリ１００が本体１に装着された状態において、フィルタアセンブリ１００を図７（Ａ）の右方から左方に向かって移動させる。このとき、突起２の平面部２ａと突起３の平面部３ａとには、それぞれ突起２２の接触面部２２ａと突起２３（図８参照）の接触面部２３ａ（図８参照）とが接触する。
【００７２】
フィルタアセンブリ１００が本体１に装着された状態においては、配管部材（図示せず）が管状部材１２０に取り付けられている。管状部材１２０は、配管部材に回転自在に取り付けられている。ホルダ１１０は、本体１に対して中心軸線１２０ｃを中心とする回転以外の移動を略制限されている。管状部材１２０と配管部材との間は、Ｏリング等によってシールされている。フィルタアセンブリ１００が本体１に装着された状態において、ホルダ１１０にはカートリッジ１９０が連結されている。
【００７３】
さらに、カートリッジ１９０の突起２２と本体１の突起２との接触によって略鉛直上方へのカートリッジ１９０の移動が制限され、且つ、カートリッジ１９０の突起２３（図８参照）と本体１の突起３との接触によって略鉛直下方へのカートリッジ１９０の移動が制限されている。そのため、フィルタアセンブリ１００は、略水平方向のうちの図７（Ａ）の右方から左方に向かう方向に、突起２と突起３とに沿って移動しながら、管状部材１２０の中心軸線１２０ｃを中心に回転する。なお、管状部材１２０の中心軸線１２０ｃは、本体１に対して完全に固定された回転軸線でなくてもよい。
【００７４】
中心軸線１２０ｃを中心とする回転が進行することによって、図７（Ｂ）に示すように、フィルタアセンブリ１００が鉛直方向に対して傾斜する。これにより、フィルタアセンブリ１００は、略水平方向のうちの図７（Ｂ）の右方から左方に向かう方向に位置が変化し、ホルダ１１０に対してカートリッジ１９０が下方に移動する。
【００７５】
中心軸線１２０ｃを中心とする回転がさらに進行することによって、図７（Ｃ）に示すように、フィルタアセンブリ１００が鉛直方向に対してさらに傾斜する。これにより、フィルタアセンブリ１００は、略水平方向のうちの図７（Ｃ）の右方から左方に向かう方向へさらに位置が変化し、ホルダ１１０に対してカートリッジ１９０がさらに下方に移動する。
【００７６】
図７（Ｃ）に示すフィルタアセンブリ１００の状態の後には、突起２２と突起２３（図８参照）とがそれぞれ本体１の突起２と突起３（図８参照）とから離れることによって、カートリッジ１９０が本体１およびホルダ１１０から取り外される。カートリッジ１９０とホルダ１１０とは、カートリッジ１９０とホルダ１１０とを結ぶ線が延びる方向に沿って互いに離れるようにそれぞれが引っ張られることによって、分離される。このとき、ホルダ１１０に対してカートリッジ１９０がフィルタアセンブリ１００の周方向に回転しなくても、ホルダ１１０とカートリッジ１９０とは、互いに分離される。
【００７７】
一方、本体１に対するフィルタアセンブリ１００の取り付け、および、ホルダ１１０に対するカートリッジ１９０の取り付けについて、図８を用いて説明する。
【００７８】
図８（Ａ）に示すように、フィルタアセンブリ１００を本体１に取り付ける場合には、フィルタアセンブリ１００を図８（Ａ）の右方から左方に向かって移動させる。フィルタアセンブリ１００は、略水平方向のうちの図８（Ａ）の右方から左方に向かう方向に、突起２と突起３とに沿って移動しながら、管状部材１２０の中心軸線１２０ｃを中心として回転する。このとき、突起２の平面部２ａと突起３の平面部３ａとには、それぞれ突起２２（図７参照）の接触面部２２ａ（図７参照）と突起２３の接触面部２３ａとが接触する。フィルタアセンブリ１００が本体１に取り付けられる場合には、フィルタアセンブリ１００は、本体１から取り外される場合に回転する方向と逆方向に回転する。
【００７９】
略水平方向のうちの図８（Ａ）の右方から左方に向かう方向への移動が進行することによって、図８（Ｂ）に示すように、中心軸線１２０ｃを中心とする回転が進行する。これにより、フィルタアセンブリ１００が鉛直方向に対して傾斜する角度が徐々に小さくなると同時に、ホルダ１１０に対してカートリッジ１９０が上方に移動する。
【００８０】
略水平方向のうちの図８（Ｂ）の右方から左方に向かう方向への移動がさらに進行することによって、中心軸線１２０ｃを中心とする回転がさらに進行すると同時に、ホルダ１１０に対してカートリッジ１９０がさらに上方に移動する。中心軸線１２０ｃを中心とする回転がさらに進行することによって、図８（Ｃ）に示すように、フィルタアセンブリ１００が略鉛直方向に延びるようにホルダ１１０の略鉛直下方にカートリッジ１９０が配置される。
【００８１】
以上のように、第１実施形態の浄水器１０は、フィルタアセンブリ１００と本体１と突起３とを備えている。フィルタアセンブリ１００は、水を濾過する。本体１は、フィルタアセンブリ１００を装着する。フィルタアセンブリ１００は、ホルダ１１０とカートリッジ１９０とを有している。ホルダ１１０は、中心軸線１２０ｃを有し且つ本体１に対して中心軸線１２０ｃを中心とする回転以外の移動を制限されている。カートリッジ１９０は、ホルダ１１０に着脱可能に取り付けられている。
【００８２】
突起３は、フィルタアセンブリ１００が本体１に装着され且つホルダ１１０にカートリッジ１９０が取り付けられた状態において、略鉛直下方にカートリッジ１９０が移動することを制限する。突起３は、フィルタアセンブリ１００が本体１に装着され且つホルダ１１０にカートリッジ１９０が取り付けられた状態において、略鉛直下方に交差する略水平方向にカートリッジ１９０が移動することを許可する。ホルダ１１０とカートリッジ１９０とが中心軸線１２０ｃを中心に回転しながら、カートリッジ１９０が突起３に沿って移動することによって、ホルダ１１０とカートリッジ１９０とを結ぶ線が延びる方向に沿ってカートリッジ１９０がホルダ１１０に対して移動し、カートリッジ１９０がホルダ１１０に着脱される。
【００８３】
浄水器１０において、カートリッジ１９０は、中心軸線１２０ｃを中心に回転しながら突起３に沿って移動することによって、略水平方向に円滑に移動することができる。ホルダ１１０は、本体１に対して中心軸線１２０ｃを中心とする回転以外の移動を制限されている。そのため、カートリッジ１９０は、中心軸線１２０ｃを中心に回転しながら突起３に沿って移動することによって、本体１およびホルダ１１０に対して移動する。したがって、カートリッジ１９０は、中心軸線１２０ｃを中心に回転しながら略水平方向に突起３に沿って移動することにより、本体１およびホルダ１１０から簡単に取り外され、または、本体１およびホルダ１１０に簡単に取り付けられる。カートリッジ１９０が本体１およびホルダ１１０に簡単に取り付けられるため、フィルタアセンブリ１００を本体１に簡単に装着することができる。
【００８４】
さらに、カートリッジ１９０は、突起３によって、略鉛直下方に移動することが制限されている。これにより、フィルタアセンブリ１００が本体１に装着された状態において、水の流れによってカートリッジ１９０が本体１およびホルダ１１０から外れることが防止されている。
【００８５】
また、浄水器１０においては、ホルダ１１０とカートリッジ１９０とを結ぶ線が延びる方向に沿って、カートリッジ１９０を移動させることにより、カートリッジ１９０をホルダ１１０から取り外すことができる。つまり、ホルダ１１０に対してカートリッジ１９０をフィルタアセンブリ１００の周方向に回転させることが無い。そのため、カートリッジ１９０を本体１から取り外しながら、本体１に対する移動が制限されたホルダ１１０からカートリッジ１９０を簡単に取り外すことができる。さらに、ホルダ１１０に対してカートリッジ１９０をフィルタアセンブリ１００の周方向に回転させることが無いため、フィルタアセンブリ１００の表面が滑らかである場合または本体１とフィルタアセンブリ１００との間に大きな空間が無い場合でも、本体１およびホルダ１１０からカートリッジ１９０を容易に取り外すことができ、且つ、本体１およびホルダ１１０にカートリッジ１９０を容易に取り付けることができる。
【００８６】
このように、浄水器１０においては、フィルタアセンブリ１００が本体１に装着された状態においてカートリッジ１９０を本体１およびホルダ１１０から簡単に取り外すことができ、カートリッジ１９０が本体１およびホルダ１１０から取り外された状態においてフィルタアセンブリ１００を本体１に簡単に装着することができ、且つ、フィルタアセンブリ１００が本体１に装着された状態においてカートリッジ１９０がホルダ１１０から外れることが防止されている。
【００８７】
浄水器１０において、突起３は、略水平方向に延びる平面部３ａを有している。突起３は、本体１に固定されている。カートリッジ１９０は、接触面部２３ａを有している。接触面部２３ａは、略鉛直下方に面し且つ平面部３ａに接触する。
【００８８】
この構成によれば、フィルタアセンブリ１００が本体１に装着された状態においては、略鉛直下方に面した接触面部２３ａが、突起３の平面部３ａに接触する。平面部３ａは、略水平方向に延びている。また、平面部３ａを有する突起３は、本体１に固定されている。そのため、フィルタカートリッジ１００が本体１に装着された状態においてフィルタアセンブリ１００の内部に水が流れる場合でも、平面部３ａと接触面部２３ａとの接触によって、本体１およびホルダ１１０に対するカートリッジ１９０の移動を防止することができる。つまり、この構成によれば、本体１およびホルダ１１０からカートリッジ１９０が外れることを確実に防止することができる。
【００８９】
一方、例えばカートリッジ１９０が本体１およびホルダ１１０から取り外される場合には、略水平方向に沿って、平面部３ａに対して接触面部２３ａが移動する。このようにして、カートリッジ１９０が本体１に対して移動することにより、カートリッジ１９０が本体１およびホルダ１１０から取り外され、または、カートリッジ１９０が本体１およびホルダ１１０に取り付けられる。つまり、この構成によれば、カートリッジ１９０を本体１およびホルダ１１０から簡単に取り外すことができ、且つ、カートリッジ１９０を本体１およびホルダ１１０に簡単に取り付けることによって、フィルタアセンブリ１００を本体１に簡単に装着することができる。
【００９０】
浄水器１０において、接触面部２３ａの一部は、平面部３ａに向かって突出するように湾曲している。
【００９１】
この構成によれば、略水平方向に沿って、平面部３ａに対して接触面部２３ａが円滑に移動することにより、カートリッジ１９０が本体１に対して円滑に移動することができる。そのため、カートリッジ１９０を本体１およびホルダ１１０に簡単に取り付けることができ、且つ、本体１およびホルダ１１０からカートリッジ１９０を簡単に取り外すことができる。
【００９２】
浄水器１０において、突起２は、略水平方向に延びる平面部２ａを有している。平面部２ａは、略鉛直下方に面している。カートリッジ１９０は、接触面部２２ａを有している。接触面部２２ａは、平面部２ａに接触する。
【００９３】
この構成によれば、フィルタアセンブリ１００が本体１に装着された状態においては、略鉛直下方に面した平面部２ａに、接触面部２２ａが接触する。平面部２ａは、略水平方向に延びている。また、平面部２ａを有する突起２は、本体１に固定されている。そのため、例えばカートリッジ１９０が本体１およびホルダ１１０から取り外される場合には、略水平方向に沿って、平面部３ａに対して接触面部２３ａが移動し且つ平面部２ａに対して接触面部２２ａが移動する。
【００９４】
このように、平面部３ａと平面部２ａとによって、略鉛直上方と略鉛直下方といった互いに略対向する二つの方向に沿ってカートリッジ１９０が移動することが制限されているため、カートリッジ１９０は、略水平方向に沿って円滑に移動することができる。このように、カートリッジ１９０が本体１に対して円滑に移動することにより、カートリッジ１９０は、より簡単に、本体１およびホルダ１１０から取り外され、且つ、本体１およびホルダ１１０に取り付けられる。つまり、この構成によれば、本体１およびホルダ１１０からカートリッジ１９０をより簡単に取り外すこと、且つ、本体１およびホルダ１１０にカートリッジ１９０をより簡単に取り付けることができる。
【００９５】
浄水器１０において、接触面部２２ａの一部は、平面部２ａに向かって突出するように湾曲している。
【００９６】
この構成によれば、略水平方向に沿って、平面部２ａに対して接触面部２２ａが円滑に移動することにより、カートリッジ１９０は本体１に対して円滑に移動することができる。そのため、カートリッジ１９０を本体１およびホルダ１１０に簡単に取り付けることができ、且つ、本体１およびホルダ１１０からカートリッジ１９０を簡単に取り外すことができる。
【００９７】
浄水器１０において、略鉛直方向に沿って、平面部３ａと平面部２ａとによってフィルタアセンブリ１００が挟まれるように、平面部３ａと平面部２ａとが本体１に配置されている。
【００９８】
この構成によれば、フィルタアセンブリ１００が本体１に装着された状態において、フィルタアセンブリ１００を安定させることができる。また、カートリッジ１９０が本体１およびホルダ１１０から取り外される場合、または、カートリッジ１９０を本体１およびホルダ１１０に取り付けることによってフィルタアセンブリ１００を本体１に装着する場合には、略水平方向に沿ってカートリッジ１９０を容易に移動させることができる。
【００９９】
浄水器１０において、カートリッジ１９０は、突起２２と、突起２３とを有している。突起２３は、略水平方向の一方（図１の左方から右方に向かう方向）に沿って延びている。突起２２は、略水平方向の一方の逆方向（図１の右方から左方に向かう方向）に沿って延びている。接触面部２３ａは突起２３に形成され、且つ、接触面部２２ａは突起２ａに形成されている。突起２２と突起２３とは、中心軸線１２０ｃが延びる方向と平行な方向に延びる同一直線上に配置されている。
【０１００】
この構成によれば、フィルタアセンブリ１００における突起２２の位置と突起２３の位置とを、略鉛直方向に沿って互いに一致させることができる。そのため、フィルタアセンブリ１００の加工において、突起２２および突起２３を容易に形成することができる。
【０１０１】
なお、本発明に従った液体濾過器の例は、水を濾過する浄水器に限定されず、別の液体を濾過する濾過器であってもよい。
【０１０２】
なお、フィルタアセンブリ１００は、本体１の外部に取り付けられることによって本体１に装着されていてもよい。つまり、本体１にフィルタアセンブリ１００が装着された状態において、フィルタアセンブリ１００が浄水器１０の外部に露出していてもよい。あるいは、本発明に従った液体濾過器において、案内部が固定される本体は、箱形状であることに限定されない。液体濾過器としての浄水器１０は、カートリッジ１９０の突起２２と突起２３とにそれぞれ接触し、フィルタアセンブリ１００が本体に装着された状態においてホルダ１１０とカートリッジ１９０とを結ぶ線が延びる方向の一方にカートリッジ１９０が移動することを制限し、且つ、フィルタアセンブリ１００が本体に装着された状態においてホルダ１１０とカートリッジ１９０とを結ぶ線が延びる方向に交差する方向にカートリッジ１９０が当該本体に対して移動することを許可する案内部を備えていればよい。箱形状でない本体の例は、単なる壁面である。このような場合には、突起２と突起３とのような案内部が、フィルタアセンブリ１００が当該本体に装着された状態においてホルダ１１０とカートリッジ１９０とを結ぶ線が延びる方向に交差する方向に、当該壁面から延びている。
【０１０３】
なお、本体１に対してフィルタアセンブリ１００が移動する方向に沿った突起２の平面部２ａの長さと突起３の平面部３ａの長さとは、図７（Ａ）に示すように略同一であることに限定されず、互いに異なっていてもよい。さらに、フィルタアセンブリ１００の収容部１９１の底壁１９１ａの形状は、特に限定されない。フィルタアセンブリ１００の収容部１９１の底壁１９１ａは、略水平方向に対して傾斜するように延びていてもよく、湾曲していてもよい。
【０１０４】
なお、本体１には、突起２が形成されていなくてもよく、突起３が形成されていればよい。なお、突起２の上面の形状と、突起３の下面の形状とは、特に限定されない。
【０１０５】
例えば、本体１の内壁１ａの一部が図１の左方に凹むような形状を有することによって、内壁１ａにおいて別の平面部が形成されていてもよい。また例えば、本体１の内壁１ｂの一部が図１の右方に凹むような形状を有することによって、内壁１ｂにおいて平面部が形成されていてもよい。さらに、本体１において、突起２と突起３とが延びる方向は、略水平方向から傾斜していてもよい。あるいは、突起２と突起３とは、直線状に延びていなくてもよく、湾曲していてもよい。
【０１０６】
あるいは、図９に示す突起２，３と突起２２，２３との例のように、カートリッジ１９０が中心軸線１２０ｃ（図７参照）と平行な方向に移動することを制限する構成が、突起２と突起２２との間と、突起３と突起２３との間とに形成されていてもよい。図１０に示す突起２，３の例のように、カートリッジ１９０が中心軸線１２０ｃ（図７参照）と平行な方向に移動することを制限する構成が、突起２とカートリッジ１９０との間と、突起３とカートリッジ１９０との間とに形成されていてもよい。
【０１０７】
図９に示すように、突起２の下面には、溝２ｂが形成されている。溝２ｂは、平面部２ａの一部が上方に削り取られたような形状を有している。突起３の上面には、溝３ｂが形成されている。溝３ｂは、平面部３ａの一部が下方に削り取られたような形状を有している。
【０１０８】
一方、カートリッジ１９０の突起２２の上面には、凸部２２ｂが形成されている。カートリッジ１９０の突起２３の下面には、凸部２３ｂが形成されている。突起２２の凸部２２ｂは、突起２の溝２ｂに噛み合っている。突起２３の凸部２３ｂは、突起３の溝３ｂに噛み合っている。
【０１０９】
このような構成により、カートリッジ１９０が中心軸線１２０ｃ（図７参照）と平行な方向に移動することを確実に制限することができる。そのため、カートリッジ１９０がホルダ１１０から着脱される場合には、それぞれ溝２ｂ，３ｂに沿って凸部２２ｂ，２３ｂが移動することによって、カートリッジ１９０は突起２と突起３とに対して円滑に移動することができる。したがって、中心軸線１２０ｃを中心にカートリッジ１９０を回転させながら、突起３と突起２とに沿って略水平方向にカートリッジ１９０を容易に移動させることができる。
【０１１０】
図１０に示すように、本体１の突起２と突起３とは、カートリッジ１９０に接触している。また、カートリッジ１９０に面する突起２の側面２ｃと突起３の側面３ｃとは、それぞれカートリッジ１９０に向かって突出するように湾曲している。
【０１１１】
このような構成により、カートリッジ１９０が中心軸線１２０ｃ（図７参照）と平行な方向に移動することを確実に制限することができる。そのため、カートリッジ１９０がホルダ１１０から着脱される場合に、カートリッジ１９０の側面は、それぞれ湾曲した側面２ｃ，３ｃに沿って移動することができる。これにより、カートリッジ１９０は突起２と突起３とに対して円滑に移動することができる。
【０１１２】
（第２実施形態）
以下では、第２実施形態に係る浄水器２０について、図１１を用いて説明する。なお、以下において、第１実施形態に係る浄水器１０の構成と同様の機能を有する構成には同符号を付し、その説明を省略する。
【０１１３】
以下に説明するように、第２実施形態に係る浄水器２０が第１実施形態に係る浄水器１０と異なる点は、浄水器２０において、平面部を形成する突起と別の平面部を形成する別の突起とが、それぞれ二つ本体２０１に形成されている。浄水器２０のフィルタアセンブリ２００のカートリッジ２９０の形状は、浄水器１０のフィルタアセンブリ１００のカートリッジ１９０の形状と同一である。一方、浄水器２０の本体２０１の内壁２０１ａおよび内壁２０１ｂの形状が、浄水器１０の本体１の内壁１ａおよび内壁１ｂの形状と異なっている。
【０１１４】
本体２０１の内部には、突起２０２と突起２０４と突起２０３と突起２０５とが配置されている。突起２０２と突起２０４とは、本体２０１の内壁２０１ａにおいてリブ状に突出している。突起２０５と突起２０３とは、本体２０１の内壁２０１ｂにおいてリブ状に突出している。
【０１１５】
突起２０２と突起２０４と突起２０３と突起２０５とは、それぞれ案内部の一例である。突起２０２の下面には、平面部２０２ａが形成されている。突起２０５の下面には、平面部２０５ａが形成されている。平面部２０２ａと平面部２０５ａとは、それぞれ別の平面部の一例である。突起２０３の上面には、平面部２０３ａが形成されている。突起２０４の上面には、平面部２０４ａが形成されている。
【０１１６】
一方、フィルタアセンブリ２００は、突起２２２と突起２２３とを有している。突起２２２と突起２２３とは、それぞれ突起の一例であって且つ別の突起の一例である。突起２２３は、水平方向の一方（図１１の左方から右方に向かう方向）に沿って延びている。突起２２２は、水平方向の一方の逆方向（図１１の右方から左方に向かう方向）に沿って延びている。
【０１１７】
本体２０１にフィルタアセンブリ２００が装着された状態において、突起２０２は突起２２２の上方に配置され、且つ、突起２０４は突起２２２の下方に配置されている。本体２０１にフィルタアセンブリ２００が装着された状態において、突起２０５は突起２２３の上方に配置され、且つ、突起２０３は突起２２３の下方に配置されている。
【０１１８】
突起２０２および突起２０４と、突起２０５および突起２０３とによってフィルタアセンブリ２００が挟まれるように、突起２０２と突起２０４と突起２０３と突起２０５とが本体２０１に配置されている。図９を正面から見る場合または図９を裏から見る場合に、平面部２０２ａおよび平面部２０４ａと、平面部２０５ａおよび平面部２０３ａとによってフィルタアセンブリ２００が挟まれるように、平面部２０２ａと平面部２０４ａと平面部２０５ａと平面部２０３ａとが本体２０１に配置されている。
【０１１９】
突起２０２の平面部２０２ａと、突起２０３の平面部２０３ａと、突起２０４の平面部２０４ａと、突起２０５の平面部２０５ａとは、図１１の表から裏または裏から表に向かう方向に沿って、略水平方向に延びている。また、突起２０２の上面と、突起２０５の上面と、突起２０３の下面と、突起２０４の下面とが、図１１の表から裏または裏から表に向かう方向に沿って、略水平方向に延びている。
【０１２０】
カートリッジ２９０において、突起２２２の上面には接触面部２２２ａが形成され、突起２２２の下面には接触面部２２２ｂが形成されている。また、突起２２３の上面には接触面部２２３ｂが形成され、突起２２３の下面には接触面部２２３ａが形成されている。接触面部２２２ａと接触面部２２３ｂとは、別の接触面部の一例である。図１１に示すようにフィルタアセンブリ２００が本体２０１に装着された状態において、接触面部２２２ｂと接触面部２２３ａとは、それぞれ、略鉛直下方に面し、且つ、平面部２０４ａと平面部２０３ａとに接触する。フィルタアセンブリ２００が本体２０１に装着された状態において、接触面部２２２ａと接触面部２２３ｂとは、それぞれ、略鉛直上方に面し、且つ、平面部２０２ａと平面部２０５ａとに接触する。
【０１２１】
第１実施形態に係る浄水器１０（図１参照）のフィルタアセンブリ１００（図２参照）のカートリッジ１９０の突起２２と突起２３とそれぞれ同様に、突起２２２と突起２２３とは、円柱形状を有している。接触面部２２２ａは平面部２０２ａに向かって突出するように湾曲している。接触面部２２２ｂは平面部２０４ａに向かって突出するように湾曲している。接触面部２２３ｂは平面部２０５ａに向かって突出するように湾曲している。接触面部２２３ａは平面部２０３ａに向かって突出するように湾曲している。
【０１２２】
接触面部２２２ａは、突起２２２の上面の一部であって、中心角が１８０度以下である円弧と、突起２２２の突出高さとの積によって表される面積を有している。接触面部２２２ｂは、突起２２２の下面の一部であって、中心角が１８０度以下である円弧と、突起２２２の突出高さとの積によって表される面積を有している。接触面部２２３ｂは、突起２２３の上面の一部であって、中心角が１８０度以下である円弧と、突起２２３の突出高さとの積によって表される面積を有している。接触面部２２３ａは、突起２２３の下面の一部であって、中心角が１８０度以下である円弧と、突起２２３の突出高さとの積によって表される面積を有している。
【０１２３】
（第３実施形態）
以下では、第３実施形態に係る浄水器３０について、図１２を用いて説明する。なお、以下において、第１実施形態に係る浄水器１０の構成と同様の機能を有する構成には同符号を付し、その説明を省略する。
【０１２４】
以下に説明するように、第３実施形態に係る浄水器３０が第１実施形態に係る浄水器１０と異なる点は、浄水器３０において、フィルタアセンブリ３００のカートリッジ３９０の突起３２２，３２３に平面部３２２ａ，３２３ａが形成され、且つ、本体３０１の突起３０２，３０３に湾曲した曲面部３０２ｃ，３０３ｃが形成されている。つまり、浄水器３０においては、本体３０１の内壁３０１ａおよび内壁３０１ｂの形状が、第１実施形態に係る浄水器１０における本体１の内壁１ａおよび内壁１ｂの形状と異なっている。また、浄水器３０のフィルタアセンブリ３００のカートリッジ３９０の形状が、第１実施形態に係る浄水器１０におけるフィルタアセンブリ１００のカートリッジ１９０の形状と異なっている。
【０１２５】
図１２に示すように、浄水器３０は、本体３０１とフィルタアセンブリ３００とを備えている。本体３０１は、それぞれ略鉛直方向に沿って延びる内壁３０１ａと内壁３０１ｂとを有している。フィルタアセンブリ３００は、カートリッジ３９０とホルダ１１０とを含む。浄水器３０の本体３０１にフィルタアセンブリ３００が装着された状態において、ホルダ１１０とカートリッジ３９０とを結ぶ線が延びる方向は、鉛直方向に略一致する。
【０１２６】
本体３０１の内部には、突起３０２と突起３０３とが配置されている。突起３０２と突起３０３とは、それぞれ本体３０１の内壁３０１ａと内壁３０１ｂとにおいてリブ状に突出している。突起３０２と突起３０３とは、それぞれ案内部の一例である。
【０１２７】
突起３０２の下面には、曲面部３０２ｃが形成されている。突起３０３の上面には、曲面部３０３ｃが形成されている。なお、図示されていないが、図１２の表から裏に向かう方向に沿った突起３０２と突起３０３とのそれぞれの長さは、図１の表から裏に向かう方向に沿った突起２と突起３とのそれぞれの長さよりも短いことが好ましい。
【０１２８】
突起３０２と突起３０３とによってフィルタアセンブリ３００が挟まれるように、突起３０２と突起３０３とが本体３０１に配置されている。図１２を正面から見る場合または図１２を裏から見る場合に、曲面部３０２ｃと曲面部３０３ｃとによってフィルタアセンブリ３００が挟まれるように、曲面部３０２ｃと曲面部３０３ｃとが本体３０１に配置されている。曲面部３０２ｃと曲面部３０３ｃとによってフィルタアセンブリ３００が挟まれるように、本体３０１に配置されている。
【０１２９】
一方、フィルタアセンブリ３００は、突起３２２と突起３２３とを有している。突起３２２と突起３２３とは、それぞれカートリッジ３９０の表面から、当該表面が形成する円柱の半径方向の外方に向かって延びている。突起３２３は、水平方向の一方（図１２の左方から右方に向かう方向）に沿って延びている。突起３２２は、水平方向の一方の逆方向（図１２の右方から左方に向かう方向）に沿って延びている。図１２を正面または裏から見る場合に、水平方向に延びる同一直線上に、突起３２２と突起３２３とが配置されている。
【０１３０】
突起３２２と突起３２３とは、四角柱形状を有している。突起３２２の上面には平面部３２２ａが形成され、突起３２３の下面には平面部３２３ａが形成されている。フィルタアセンブリ３００が本体３０１に装着された状態において、平面部３２２ａは略鉛直上方に面し且つ曲面部３０２ｃに接触し、且つ、平面部３２３ａは、略鉛直下方に面し且つ曲面部３０３ｃに接触する。なお、図示されていないが、図１２の表から裏に向かう方向に沿った突起３２２と突起３２３とのそれぞれの長さは、図１の表から裏に向かう方向に沿った突起２２と突起２３とのそれぞれの長さよりも長いことが好ましい。
【０１３１】
（第４実施形態）
以下では、第４実施形態に係る浄水器４０について、図１３を用いて説明する。なお、以下において、第１実施形態に係る浄水器１０の構成と同様の機能を有する構成には同符号を付し、その説明を省略する。
【０１３２】
以下に説明するように、第４実施形態に係る浄水器４０が第１実施形態に係る浄水器１０と異なる点は、浄水器４０において、水平方向に延びる同一直線上に、本体４０１の突起４０２と突起４０３とが配置されている。つまり、浄水器４０においては、浄水器４０の本体４０１の内壁４０１ａおよび内壁４０１ｂの形状が、浄水器１０の本体１の内壁１ａおよび内壁１ｂの形状と異なっている。また、浄水器４０のフィルタアセンブリ４００のカートリッジ４９０の形状は、浄水器１０のフィルタアセンブリ１００のカートリッジ１９０の形状と異なっている。
【０１３３】
本体４０１の内部には、突起４０２と突起４０３とが配置されている。突起４０２と突起４０３とは、それぞれ本体４０１の内壁４０１ａと内壁４０１ｂとにおいてリブ状に突出している。突起４０２と突起４０３とは、それぞれ案内部の一例である。
【０１３４】
突起４０２の下面には、平面部４０２ａが形成されている。平面部４０２ａは、別の平面部の一例である。突起４０３の上面には、平面部４０３ａが形成されている。本体４０１に対してカートリッジ４９０が移動する方向に沿って、つまり、図１３の表から裏または裏から表に向かう方向に沿って、平面部４０２ａと平面部４０３ａとは、略水平方向に延びている。
【０１３５】
突起４０２と突起４０３とによってフィルタアセンブリ４００が挟まれるように、突起４０２と突起４０３とが本体４０１に配置されている。図１３を正面から見る場合または図１３を裏から見る場合に、水平方向に延びる同一直線上に、突起４０２と突起４０３とが配置されている。
【０１３６】
フィルタアセンブリ４００は、突起４２２と突起４２３とを有している。突起４２２と突起４２３とは、それぞれカートリッジ４９０の表面から、当該表面が形成する円柱の半径方向の外方に向かって延びている。突起４２２と突起４２３とのうち、突起４２２は別の突起の一例である。突起４２３は、水平方向の一方（図１３の左方から右方に向かう方向）に沿って延びている。突起４２２は、水平方向の一方の逆方向（図１３の右方から左方に向かう方向）に沿って延びている。本体４０１にフィルタアセンブリ４００が装着された状態において、突起４２２は突起４０２の下方に配置され、且つ、突起４２３は突起４０３の上方に配置されている。
【０１３７】
突起４２２の上面には接触面部４２２ｃが形成され、突起４２３の下面には接触面部４２３ｃが形成されている。接触面部４２２ｃと接触面部４２３ｃとのうち、接触面部４２２ｃは別の接触面部の一例である。フィルタアセンブリ４００が本体４０１に装着された状態において、接触面部４２２ｃは略鉛直上方に面し且つ平面部４０２ａに接触し、且つ、接触面部４２３ｃは略鉛直下方に面し且つ平面部４０３ａに接触する。
【０１３８】
接触面部４２２ｃは平面部４０２ａに向かって突出するように湾曲している。接触面部４２３ｃは平面部４０３ａに向かって突出するように湾曲している。接触面部４２２ｃは、突起４２２の上面の一部である。接触面部４２３ｃは、突起４２３の下面の一部である。
【０１３９】
（第５実施形態）
以下では、第５実施形態に係る浄水器５０について、図１４を用いて説明する。なお、以下において、第１実施形態に係る浄水器１０の構成と同様の機能を有する構成には同符号を付し、その説明を省略する。
【０１４０】
以下に説明するように、第５実施形態に係る浄水器５０が第１実施形態に係る浄水器１０と異なる点は、浄水器５０のフィルタアセンブリ５００には、溝５２２と溝５２３とが形成されている。つまり、浄水器５０においては、浄水器５０のフィルタアセンブリ５００のカートリッジ５９０の形状が、浄水器１０のフィルタアセンブリ１００のカートリッジ１９０の形状と異なっている。また、浄水器５０の本体５０１の内壁５０１ａおよび内壁５０１ｂの形状は、浄水器１０の本体１の内壁１ａおよび内壁１ｂの形状と異なっている。
【０１４１】
本体５０１の内部には、突起５０２と突起５０３とが配置されている。突起５０２と突起５０３とは、それぞれ本体５０１の内壁５０１ａと内壁５０１ｂとにおいてリブ状に突出している。突起５０２と突起５０３とは、それぞれ案内部の一例である。
【０１４２】
突起５０２は、本体５０１の内壁５０１ａにおいて、水平方向の一方（図１４の左方から右方に向かう方向）に沿って延びている。突起５０３は、本体５０１の内壁５０１ｂにおいて、水平方向の一方の逆方向（図１４の右方から左方に向かう方向）に沿って延びている。突起５０２の下面には、平面部５０２ｂが形成されている。突起５０３の下面には、平面部５０３ｂが形成されている。突起５０２の上面には、平面部５０２ａが形成されている。突起５０３の上面には、平面部５０３ａが形成されている。
【０１４３】
突起５０２と突起５０３とによってフィルタアセンブリ５００が挟まれるように、突起５０２と突起５０３とが本体５０１に配置されている。図１４を正面から見る場合または図１４を裏から見る場合に、平面部５０２ａおよび平面部５０２ｂと、平面部５０３ａおよび平面部５０３ｂとによってフィルタアセンブリ５００が挟まれるように、平面部５０２ａおよび平面部５０２ｂと、平面部５０３ａおよび平面部５０３ｂとが本体５０１に配置されている。
【０１４４】
本体５０１に対してカートリッジ５９０が移動する方向に沿って、つまり、図１４の表から裏または裏から表に向かう方向に沿って、突起５０２の平面部５０２ａおよび平面部５０２ｂと、突起５０３の平面部５０３ａおよび平面部５０３ｂとは、略水平方向に延びている。
【０１４５】
一方、フィルタアセンブリ５００には、溝５２２と溝５２３とが形成されている。溝５２２と溝５２３とは、カートリッジ５９０の表面が形成する円柱の半径方向の内方に向かって凹むように、それぞれ当該表面に形成されている。溝５２２は、水平方向の一方（図１４の左方から右方に向かう方向）に沿って凹んでいる。溝５２３は、水平方向の一方の逆方向（図１４の右方から左方に向かう方向）に沿って凹んでいる。
【０１４６】
本体５０１にフィルタアセンブリ５００が装着された状態において、図１２を正面から見る場合または図１２を裏から見る場合に、水平方向に延びる同一直線上に、溝５２２と溝５２３とが配置されている。溝５２２と溝５２３とは、カートリッジ５９０の表面において、互いに１８０度離れた位置に配置されている。
【０１４７】
本体５０１にフィルタアセンブリ５００が装着された状態において、溝５２２と突起５０２とが嵌め合わされ、溝５２３と突起５０３とが嵌め合わされる。本体５０１にフィルタアセンブリ５００が装着された状態において、図１４を正面または裏から見る場合に、水平方向に延びる同一直線上に、突起５０２と突起５０３とが配置されている。
【０１４８】
溝５２２の上面には接触面部５２２ｃが形成され、溝５２２の下面には接触面部５２２ｄが形成されている。溝５２３の上面には接触面部５２３ｃが形成され、溝５２３の下面には接触面部５２３ｄが形成されている。フィルタアセンブリ５００が本体５０１に装着された状態において、接触面部５２２ｄと接触面部５２３ｄとは、それぞれ、略鉛直上方に面し、且つ、平面部５０２ｂと平面部５０３ｂとに接触する。フィルタアセンブリ５００が本体５０１に装着された状態において、接触面部５２２ｃと接触面部５２３ｃとは、それぞれ、略鉛直下方に面し、且つ、平面部５０２ａと平面部５０３ａとに接触する。
【０１４９】
接触面部５２２ｃと接触面部５２３ｃとは、それぞれ、平面部５０２ａと平面部５０３ａとに向かって突出するように湾曲している。接触面部５２２ｄと接触面部５２３ｄとは、それぞれ、平面部５０２ｂと平面部５０３ｂとに向かって突出するように湾曲している。接触面部５２２ｃは、溝５２２の上面の一部である。接触面部５２３ｃは、溝５２３の上面の一部である。接触面部５２２ｄは、溝５２２の下面の一部である。接触面部５２３ｄは、溝５２３の下面の一部である。
【０１５０】
（第６実施形態）
以下では、第６実施形態に係る浄水器６０について、図１５を用いて説明する。なお、以下において、第１実施形態に係る浄水器１０の構成と同様の機能を有する構成には同符号を付し、その説明を省略する。
【０１５１】
以下に説明するように、第６実施形態に係る浄水器６０が第５実施形態に係る浄水器５０と異なる点は、浄水器６０のフィルタアセンブリ６００の溝６２２と溝６２３とには、それぞれ、平面部６２２ｃ，６２２ｄと、平面部６２３ｃ，６２３ｄとが形成されている。また、浄水器６０の本体６０１の突起６０２と突起６０３とには、それぞれ溝に向かって突出するように湾曲した曲面部６０２ｃ，６０２ｄと、曲面部６０３ｃ，６０３ｄが形成されている。つまり、浄水器６０においては、浄水器６０の本体６０１の内壁６０１ａに形成された突起６０２の形状と内壁６０１ｂに形成された突起６０３の形状が、浄水器５０の本体５０１の内壁５０１ａに形成された突起５０２と内壁５０１ｂに形成された突起５０３の形状と異なっている。また、浄水器６０のフィルタアセンブリ６００のカートリッジ６９０の溝６２２，６２３の形状が、浄水器５０のフィルタアセンブリ５００のカートリッジ５９０の溝５２２，５２３の形状と異なっている。
【０１５２】
フィルタアセンブリ６００には、溝６２２と溝６２３とが形成されている。本体６０１に対してカートリッジ６９０が移動する方向に沿って、つまり、図１３の表から裏または裏から表に向かう方向に沿って、溝６２２の平面部６２２ｃおよび平面部６２２ｄと、溝６２３の平面部６２３ｃおよび平面部６２３ｄとは、略水平方向に延びている。
【０１５３】
本体６０１の内部には、突起６０２と突起６０３とが配置されている。突起６０２と突起６０３とは、それぞれ本体６０１の内壁６０１ａと内壁６０１ｂとにおいてリブ状に突出している。突起６０２と突起６０３とは、それぞれ案内部の一例である。
【０１５４】
突起６０２の下面には、曲面部６０２ｄが形成されている。突起６０３の下面には、曲面部６０３ｄが形成されている。突起６０２の上面には、曲面部６０２ｃが形成されている。突起６０３の上面には、曲面部６０３ｃが形成されている。フィルタアセンブリ６００が本体６０１に装着された状態において、曲面部６０２ｃと曲面部６０３ｃとは、それぞれ、略鉛直上方に面し、且つ、平面部６２２ｃと平面部６２３ｃとに接触する。フィルタアセンブリ６００が本体６０１に装着された状態において、曲面部６０２ｄと曲面部６０３ｄとは、それぞれ、略鉛直下方に面し、且つ、平面部６２２ｄと平面部６２３ｄとに接触する。
【０１５５】
浄水器２０，３０，４０，５０，６０における本体２０１，３０１，４０１，５０１，６０１に対するフィルタアセンブリ２００，３００，４００，５００，６００の取り外し、および、ホルダ１１０に対するカートリッジ２９０，３９０，４９０，５９０，６９０の取り外しについては、第１実施形態に係る浄水器１０におけるそれぞれの取り外しと同様である。また、本体２０１，３０１，４０１，５０１，６０１に対するフィルタアセンブリ２００，３００，４００，５００，６００の取り付け、および、ホルダ１１０に対するカートリッジ２９０，３９０，４９０，５９０，６９０の取り付けについても、第１実施形態に係る浄水器１０におけるそれぞれの取り付けと同様である。そのため、これらの説明を省略する。
【０１５６】
以上のように、浄水器２０，３０，４０，５０，６０によれば、第１実施形態に係る浄水器１０の作用効果と同様の作用効果を得ることができる。
【０１５７】
さらに、浄水器２０，５０，６０によれば、水平方向の一方側と、水平方向の一方の逆方向の側といったフィルタアセンブリ２００，５００，６００の両側において、互いに略対向する鉛直上方と鉛直下方とに沿ったカートリッジ２９０，５９０，６９０の移動が制限されている。そのため、フィルタアセンブリ２００，５００，６００が本体２０１，５０１，６０１に装着された状態において、フィルタアセンブリ２００，５００，６００を確実に安定させることができる。また、カートリッジ２９０，５９０，６９０が本体２０１，５０１，６０１およびホルダ１１０から取り外される場合、または、カートリッジ２９０，５９０，６９０を本体２０１，５０１，６０１およびホルダ１１０に取り付ける場合には、略水平方向に沿って、カートリッジ２９０，５９０，６９０をより容易に移動させることができる。
【０１５８】
（第７実施形態）
以下では、第７実施形態に係る浄水器について、図１６を用いて説明する。なお、以下において、第１実施形態に係る浄水器１０の構成と同様の機能を有する構成には同符号を付し、その説明を省略する。
【０１５９】
以下に説明するように、第７実施形態に係る浄水器が第１，２，３，４，５，６実施形態に係る浄水器１０，２０，３０，４０，５０，６０と異なる点は、第７実施形態に係る浄水器のフィルタアセンブリ７００のカートリッジ７９０には突起または溝が形成されておらず、且つ、第７実施形態に係る浄水器の本体７０１には内壁から突出する突起が形成されていない。
【０１６０】
本体７０１は、底壁４を有している。底壁４の上面４ｂは、略水平方向に延びている。底壁４は、案内部の一例である。上面４ｂは、案内部の平面部の一例である。図１４（Ａ）に示すようにフィルタアセンブリ７００が本体７０１に装着された状態において、ホルダ１１０とカートリッジ７９０とを結ぶ線が延びる方向は、略鉛直方向である。底壁４が本体７０１の一部であるため、上面４ｂは本体７０１に固定されている。
【０１６１】
フィルタアセンブリ７００は、ホルダ１１０とカートリッジ７９０とを有している。カートリッジ７９０は、有底円筒形状を有している。カートリッジ７９０は、底面部７９９を有している。フィルタアセンブリ７００が本体７０１に装着された状態において、底面部７９９は、略鉛直下方に面し且つ上面４ｂに接触する。底面部７９９は、接触面部の一例である。
【０１６２】
フィルタアセンブリ７００を鉛直下方から鉛直上方に向かって見る場合に、底面部７９９は、円形状を有している。底面部７９９の縦断面は、略Ｕ字形状を有している。底面部７９９においてカートリッジ７９０の周壁と交差する部分には、曲面部７９８が形成されている。曲面部７９８は、カートリッジ７９０の表面から外側に向かって突出するように湾曲している。
【０１６３】
カートリッジ７９０が本体７０１およびホルダ１１０に取り付けられる場合、または、カートリッジ７９０が本体７０１およびホルダ１１０から取り外される場合に曲面部７９８と対向する底壁４の上面４ｂの一部には、曲面部４ａが形成されている。曲面部４ａは、鉛直上方と水平方向とに向かって突出するように湾曲している。
【０１６４】
次に、本体７０１に対するフィルタアセンブリ７００の取り外し、および、ホルダ１１０に対するカートリッジ７９０の取り外しについて説明する。
【０１６５】
図１６（Ａ）に示すように、フィルタアセンブリ７００が本体７０１に装着された状態において、フィルタアセンブリ７００を図１６（Ａ）の右方から左方に向かって移動させる。管状部材１２０に配管部材（図示せず）が取り付けられた状態において、ホルダ１１０は、本体７０１に対して、管状部材１２０の中心軸線１２０ｃを中心とする回転以外の移動を略制限されている。また、フィルタアセンブリ７００が本体７０１に装着された状態において、ホルダ１１０にはカートリッジ７９０が連結されている。
【０１６６】
さらに、カートリッジ７９０の底面部７９９と本体７０１の底壁４の上面４ｂとの接触によって略鉛直下方へのカートリッジ７９０の移動が制限されている。そのため、フィルタアセンブリ７００は、略水平方向のうちの図１６（Ａ）の右方から左方に向かう方向に、底壁４の上面４ｂに沿って移動しながら、管状部材１２０の中心軸線１２０ｃを中心として回転する。
【０１６７】
中心軸線１２０ｃを中心とする回転が進行することによって、図１６（Ｂ）〜図１６（Ｃ）に示すように、フィルタアセンブリ７００が鉛直方向に対して傾斜する。これにより、フィルタアセンブリ７００は、略水平方向のうちの図１６（Ｂ）の右方から左方に向かう方向へ移動し、ホルダ１１０に対してカートリッジ７９０が下方に移動する。
【０１６８】
図１６（Ｃ）に示すフィルタアセンブリ７００の状態のように、カートリッジ７９０の底面部７９９が底壁４の上面４ｂから離れることによって、カートリッジ７９０が本体７０１およびホルダ１１０から取り外される。
【０１６９】
一方、本体７０１に対するフィルタアセンブリ７００の取り付け、および、ホルダ１１０に対するカートリッジ７９０の取り付けについて説明する。フィルタアセンブリ７００が本体７０１に取り付けられる場合には、本体７０１に対して移動するフィルタアセンブリ７００の状態は、図１６（Ｃ）、図１６（Ｂ）、および、図１６（Ａ）の順のように変化する。
【０１７０】
フィルタアセンブリ７００を本体７０１に取り付ける場合には、図１６（Ｃ）に示すように、フィルタアセンブリ７００を図１６（Ｃ）の左方から右方に向かって移動させる。フィルタアセンブリ７００は、略水平方向のうちの図１６（Ｃ）の左方から右方に向かう方向に、底壁４の上面４ｂに沿って移動しながら、管状部材１２０の中心軸線１２０ｃを中心として回転する。このとき、カートリッジ７９０の底面部７９９の曲面部７９８を底壁４の曲面部４ａに接触させることにより、略水平方向のうちの図１６（Ｃ）の左方から右方に向かう方向に、フィルタアセンブリ７００を円滑に移動させ、且つ、カートリッジ７９０をホルダ１１０に容易に取り付けることができる。
【０１７１】
略水平方向のうちの図１６（Ｃ）の左方から右方に向かう方向への移動が進行することによって、図１６（Ｂ）〜図１６（Ａ）に示すように、中心軸線１２０ｃを中心とする回転が進行する。これにより、フィルタアセンブリ７００が鉛直方向に対して傾斜する角度が徐々に小さくなると同時に、ホルダ１１０に対してカートリッジ７９０が上方に移動する。図１６（Ａ）に示すように、フィルタアセンブリ７００が本体７０１に装着された状態においては、フィルタアセンブリ７００が略鉛直方向に延びるようにホルダ１１０の略鉛直下方にカートリッジ７９０が配置される。
【０１７２】
以上のように、第７実施形態に係る浄水器は、ホルダ１１０とカートリッジ７９０とを有するフィルタアセンブリ７００と、本体７０１とを備えた浄水器である。第７実施形態に係る浄水器によれば、フィルタアセンブリ７００が本体７０１に装着された状態においてカートリッジ７９０を本体７０１およびホルダ１１０から簡単に取り外すことができ、カートリッジ７９０が本体７０１およびホルダ１１０から取り外された状態においてフィルタアセンブリ７００を本体７０１に簡単に装着することができ、且つ、フィルタアセンブリ７００が本体７０１に装着された状態においてカートリッジ７９０がホルダ１１０から外れることを防止することができる。
【０１７３】
なお、フィルタアセンブリ２００，３００，４００，５００，６００，７００の内部の構造は、第１実施形態に係る浄水器１０のフィルタアセンブリ１００のものとそれぞれ同様である。そのため、フィルタアセンブリ２００，３００，４００，５００，６００，７００の内部における水の流れおよび水の流れによる通常の圧力の作用は、第１実施形態に係る浄水器１０のフィルタアセンブリ１００のものとそれぞれ同様である。
【０１７４】
なお、本発明に従った液体濾過器の案内部は、クランクとカムとの機構等を用いることによって構成されていてもよい。
【０１７５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１７６】
１：本体、２：突起、２ａ：平面部、３：突起、３ａ：平面部、１０：浄水器、２２：突起、２２ａ：接触面部、２３：突起、２３ａ：接触面部、１００：フィルタアンブリ、１１０：ホルダ、１２０ｃ：中心軸線、１９０：カートリッジ
【図１】
2013230410.tif 000003
【図２】
2013230410.tif 000004
【図３】
2013230410.tif 000005
【図４】
2013230410.tif 000006
【図５】
2013230410.tif 000007
【図６】
2013230410.tif 000008
【図７】
2013230410.tif 000009
【図８】
2013230410.tif 000010
【図９】
2013230410.tif 000011
【図１０】
2013230410.tif 000012
【図１１】
2013230410.tif 000013
【図１２】
2013230410.tif 000014
【図１３】
2013230410.tif 000015
【図１４】
2013230410.tif 000016
【図１５】
2013230410.tif 000017
【図１６】
2013230410.tif 000018